(57)【要約】      （修正有）【課題】トリマ端子に固定抵抗素子や定電圧発生回路を接続して出力電圧の設定を行う場合でも、接続する素子の精度にかかわらず所望の出力電圧を精度よく得ることができる電源装置を提供する。【解決手段】出力電圧設定値Vrを変更するための外部接続端子であるトリマ端子１８を備える。トリマ端子１８に発生するトリマ電圧Vtrmに応じて出力電圧設定値Vrを決定する設定値決定手段３２を備える。設定値決定手段３２は、トリマ電圧Vtrmと出力電圧設定値Ｖｒとの関係を規定した設定値決定テーブルＴａ又はＴｂに基づいて出力電圧設定値Vrを決定する。設定値決定テーブルＴａ、Ｔｂには、トリマ電圧Vtrmの範囲を所定の幅に区切った複数のレンジが定義され、レンジごとに異なる出力電圧設定値Vrが割り付けられている。【選択図】図１
2018196215.tif 000002
【特許請求の範囲】
【請求項１】
出力電圧設定値を変更するための外部接続端子であるトリマ端子と、
前記トリマ端子に発生するトリマ電圧に応じて前記出力電圧設定値を決定する手段であって、前記トリマ電圧と前記出力電圧設定値との関係を規定した設定値決定テーブルに基づいて前記出力電圧設定値を決定する設定値決定手段とを備え、
前記設定値決定テーブルには、前記トリマ電圧の範囲を所定の幅に区切った複数のレンジが定義され、前記レンジごとに異なる前記出力電圧設定値が割り付けられていることを特徴とする電源装置。
【請求項２】
前記トリマ電圧は、前記トリマ端子に固定抵抗素子を外部接続することによって変更可能であり、
前記設定値決定テーブルに規定された前記各出力電圧設定値ごとに、外部接続可能な前記固定抵抗素子の公称値及び公差が指定され、前記設定値決定テーブルに規定された前記各レンジの幅は、指定された前記固定抵抗素子が外部接続され、その抵抗値が前記公差の範囲内でばらついたとき、前記トリマ電圧が当該レンジ内に収まるように設定されている請求項１記載の電源装置。
【請求項３】
前記トリマ電圧は、前記トリマ端子に、定電圧発生回路が発生する定電圧を外部入力することによって変更可能であり、
前記設定値決定テーブルに規定された前記出力電圧設定値ごとに、外部入力可能な前記定電圧の中心値及び許容誤差が指定され、前記設定値決定テーブルに規定された前記各レンジの幅は、指定された定電圧が外部入力され、前記定電圧の前記許容誤差の範囲内でばらついたとき、前記トリマ電圧が当該レンジ内に収まるように設定されている請求項１記載の電源装置。
【請求項４】
前記設定値決定テーブルに規定された前記レンジに含まれない前記トリマ電圧が発生している時、設定値決定手段は、前記出力電圧設定値を一定以下の安全な値に決定する請求項１乃至３のいずれか記載の電源装置。
【請求項５】
前記設定値決定手段には、前記トリマ電圧と前記出力電圧設定値との関係を規定した連続関数式がさらに設けられ、
前記設定値決定テーブルに規定された前記レンジに含まれない前記トリマ電圧が発生している時、設定値決定手段は、前記連続関数式に基づいて前記出力電圧設定値を決定する請求項１乃至３のいずれか記載の電源装置。
【請求項６】
前記設定値決定手段には、前記設定値決定テーブルが複数設けられ、
前記出力電圧設定値を決定するときに使用する１つの前記設定値決定テーブルを選択するための外部接続端子であるテーブル選択端子がさらに設けられている請求項１乃至５のいずれか記載の電源装置。
【請求項７】
前記設定値決定手段には、前記トリマ電圧と前記出力電圧設定値との関係を規定した連続関数式がさらに設けられ、
前記設定値決定テーブルに基づいて前記出力電圧設定値を決定するモードと、前記連続関数式に基づいて前記出力電圧設定値を決定するモードのどちらかを選択するための外部接続端子であるモード選択端子がさらに設けられている請求項１乃至３記載の電源装置。
【請求項８】
前記設定値決定手段には、前記設定値決定テーブルが複数設けられ、
前記出力電圧設定値を決定するときに使用する１つの前記設定値決定テーブルを選択するための外部接続端子であるテーブル選択端子がさらに設けられている請求項７記載の電源装置。
【請求項９】
前記モード選択端子が前記テーブル選択端子として兼用され、前記出力電圧設定値を決定するときに使用する前記設定値決定テーブルを、前記モード選択端子を用いて選択できるよう構成されている請求項８記載の電源装置。
【発明の詳細な説明】
【技術分野】
【０００１】
本発明は、出力電圧設定値を外部設定又は外部可変する機能を備えた電源装置に関する。
【背景技術】
【０００２】
従来、特許文献１に開示されているように、所要電源電圧を指示する電圧指示信号を出力する負荷と、この電圧指示信号がトリマ端子に入力され、電圧指示信号に基づいて出力電圧設定値を自動的に変更する電源装置とを備えた電源システムがあった。負荷は、電圧指示信号を生成するとき、所要電源電圧毎に値の異なる抵抗器を使用する。電源装置内の出力電圧設定回路は、電圧指示信号の変化に対して出力電圧設定値を連続変化させる（特許文献１の図３）。
【０００３】
特許文献１の電源システムの電源装置は、従来から使用されている公知の装置であり、この種の電源装置１０は、図１４（ａ）〜（ｃ）に示すような使い方もされる。
【０００４】
図１４（ａ）は、電源装置１０の出力端子１２，１４の間に負荷１６が接続され、トリマ端子１８に所定の抵抗値を有した固定抵抗素子２０を接続することによって、トリマ端子１８に所望の電圧指示信号を発生させる構成を示している。電圧指示信号を変更するときは、固定抵抗素子２０を、抵抗値の異なる他の固定抵抗素子２０に交換する作業を行う。なお、図１４（ａ）の構成は、負荷１６とは別に固定抵抗素子２０を設けているが、実質的には、特許文献１の電源システムと同様の構成と言える。
【０００５】
図１４（ｂ）は、電源装置１０の出力端子１２，１４の間に定電圧発生回路２２を設け、定電圧発生回路２２で所定の定電圧（電圧指示信号）を発生させ、トリマ端子１８に入力する構成を示している。定電圧発生回路２２は、シャントレギュレータと複数の固定抵抗とで構成されたシリーズレギュレータ等であり、電圧指示信号を変更するときは、特定の固定抵抗を、抵抗値の異なる他の固定抵抗に交換する作業を行う。
【０００６】
また、図１４（ｃ）は、電源装置１０の外部に、使用者が意図した定電圧を高精度に出力する可変電源装置２４が設けられ、可変電源装置２４が出力する定電圧（電圧指示信号）をトリマ端子１８に入力する構成を示している。電圧指示信号は、使用者が自在に変更することができる。
【０００７】
図１４（ａ）及び（ｂ）の構成は、「出力電圧Voを一旦設定するとその後は変更しない」という場合に適しており、電源システムをシンプルかつ安価に構成することができる。一方、図１４（ｃ）の構成は、「電源装置の運転中に出力電圧Voを可変する」という場合に適している。
【先行技術文献】
【特許文献】
【０００８】
【特許文献１】特開２００３−１６４１４１号公報
【発明の概要】
【発明が解決しようとする課題】
【０００９】
従来の電源装置１０は、出力電圧設定回路が、電圧指示信号の変化に対して出力電圧設定値を連続変化させる動作を行うので、出力電圧Voをきめ細かく可変することができ、図１４（ｃ）に示すような「電源装置の運転中に出力電圧Voを可変する」という使い方に適している。しかしながら、図１４（ａ）、（ｂ）に示すような「出力電圧Voを一旦設定するとその後は変更しない」という使い方にはあまり適していない。
【００１０】
図１４（ａ）の構成の場合、固定抵抗素子２０の個体差により抵抗値が公差の範囲内でばらつくので、狙いの電圧指示信号を精度よく発生させることができない。同様に、図１４（ｂ）の構成の場合、シャントレギュレータや複数の固定抵抗の個体差により定電圧発生回路２２の定電圧がばらつくので、狙いの電圧指示信号を精度よく発生させることができない。そのため、図１４（ａ）、（ｂ）の構成で電源装置１０を使用すると、電圧指示信号が所定の範囲でばらつくため、所望の出力電圧Voを精度よく得ることができないという問題がある。
【００１１】
本発明は、上記背景技術に鑑みて成されたものであり、トリマ端子に固定抵抗素子や定電圧発生回路を接続して出力電圧の設定を行う場合でも、所望の出力電圧を精度よく得ることができる電源装置を提供することを目的とする。
【課題を解決するための手段】
【００１２】
本発明は、出力電圧設定値を変更するための外部接続端子であるトリマ端子と、前記トリマ端子に発生するトリマ電圧に応じて前記出力電圧設定値を決定する手段であって、前記トリマ電圧と前記出力電圧設定値との関係を規定した設定値決定テーブルに基づいて前記出力電圧設定値を決定する設定値決定手段とを備え、前記設定値決定テーブルには、前記トリマ電圧の範囲を所定の幅に区切った複数のレンジが定義され、前記レンジごとに異なる前記出力電圧設定値が割り付けられている電源装置である。
【００１３】
前記トリマ電圧は、前記トリマ端子に固定抵抗素子を外部接続することによって変更可能であり、前記設定値決定テーブルに規定された前記各出力電圧設定値ごとに、外部接続可能な前記固定抵抗素子の公称値及び公差が指定され、前記設定値決定テーブルに規定された前記各レンジの幅は、指定された前記固定抵抗素子が外部接続され、その抵抗値が前記公差の範囲内でばらついたとき、前記トリマ電圧が当該レンジ内に収まるように設定されている。
【００１４】
あるいは、前記トリマ電圧は、前記トリマ端子に、定電圧発生回路が発生する定電圧を外部入力することによって変更可能であり、前記設定値決定テーブルに規定された前記出力電圧設定値ごとに、外部入力可能な前記定電圧の中心値及び許容誤差が指定され、前記設定値決定テーブルに規定された前記各レンジの幅は、指定された定電圧が外部入力され、前記定電圧の前記許容誤差の範囲内でばらついたとき、前記トリマ電圧が当該レンジ内に収まるように設定されている。
【００１５】
前記設定値決定テーブルに規定された前記レンジに含まれない前記トリマ電圧が発生している時、設定値決定手段は、前記出力電圧設定値を一定以下の安全な値に決定する構成にすることが好ましい。または、前記設定値決定手段には、前記トリマ電圧と前記出力電圧設定値との関係を規定した連続関数式がさらに設けられ、前記設定値決定テーブルに規定された前記レンジに含まれない前記トリマ電圧が発生している時、設定値決定手段は、前記連続関数式に基づいて前記出力電圧設定値を決定する構成にすることが好ましい。この場合、前記設定値決定手段には、前記設定値決定テーブルが複数設けられ、前記出力電圧設定値を決定するときに使用する１つの前記設定値決定テーブルを選択するための外部接続端子であるテーブル選択端子がさらに設けられている構成にしてもよい。
【００１６】
あるいは、前記設定値決定手段には、前記トリマ電圧と前記出力電圧設定値との関係を規定した連続関数式がさらに設けられ、前記設定値決定テーブルに基づいて前記出力電圧設定値を決定するモードと、前記連続関数式に基づいて前記出力電圧設定値を決定するモードのどちらかを選択するための外部接続端子であるモード選択端子がさらに設けられている構成にすることが好ましい。この場合、前記設定値決定手段には、前記設定値決定テーブルが複数設けられ、前記出力電圧設定値を決定するときに使用する１つの前記設定値決定テーブルを選択するための外部接続端子であるテーブル選択端子がさらに設けられている構成にしてもよい。また、前記モード選択端子が前記テーブル選択端子として兼用され、前記出力電圧設定値を決定するときに使用する前記設定値決定テーブルを、前記モード選択端子を用いて選択できるよう構成してもよい。
【発明の効果】
【００１７】
本発明の電源装置によれば、トリマ端子に発生するトリマ電圧を検出し、独特な設定値決定テーブルに基づいて出力電圧設定値を決定する構成なので、トリマ端子に固定抵抗素子や定電圧発生回路を接続して出力電圧の設定を行う場合でも、接続する素子の精度にかかわらず所望の出力電圧を精度よく得ることができる。
【００１８】
また、設定値決定テーブルに基づいて出力電圧設定値を決定するモードと連続関数式に基づいて出力電圧を決定するモードをと設け、どちらのモードを使用するか使用者が選択できる構成にすることによって、「出力電圧Voを一旦設定するとその後は変更しない」という使い方と「電源装置の運転中に出力電圧Voを可変する」という使い方のどちらにも簡単に対応することができる。
【図面の簡単な説明】
【００１９】
【図１】本発明の電源装置の第一の実施形態を示す回路図である。
【図２】図１の設定値決定手段に登録された２つの設定値決定テーブルと、トリマ電圧のレンジ毎の固定抵抗素子の指定（抵抗値の公称値及び公差）を示す図（ａ）、（ｂ）である。
【図３】図１の設定値決定手段に登録された２つの設定値決定テーブルによって規定された、トリマ電圧と出力電圧設定値との関係を示すグラフ（ａ）、（ｂ）である。
【図４】本発明の電源装置の第二の実施形態を示す回路図である。
【図５】図４の設定値決定手段に登録された２つの設定値決定テーブルと、トリマ電圧のレンジ毎の定電圧発生回路の指定（定電圧の中心値及び許容誤差）を示す図（ａ）、（ｂ）である。
【図６】図４の設定値決定手段に登録された２つの設定値決定テーブルによって規定された、トリマ電圧と出力電圧設定値との関係を示すグラフ（ａ）、（ｂ）である。
【図７】本発明の電源装置の第三の実施形態を示す回路図である。
【図８】図７の設定値決定手段に登録された設定値決定テーブル及び連続関数式によって規定された、トリマ電圧と出力電圧設定値との関係を示すグラフである。
【図９】本発明の電源装置の第四の実施形態を示す回路図である。
【図１０】図９の設定値決定手段に登録された設定値決定テーブルと、トリマ電圧のレンジ毎の定電圧発生回路の指定（定電圧の中心値及び許容誤差）を示す図である。
【図１１】図９の設定値決定手段に登録された設定値決定テーブル及び連続関数式によって規定された、トリマ電圧と出力電圧設定値との関係を示すグラフである。
【図１２】第三の実施形態の電源装置の変形例を示す回路図である。
【図１３】第四の実施形態の電源装置の変形例を示す回路図である。
【図１４】従来の電源装置のトリマ端子に、固定抵抗素子を接続した構成を示す回路図（ａ）、定電圧発生回路を接続した構成を示す回路図（ｂ）、可変電源装置を接続した構成を示す回路図（ｃ）である。
【発明を実施するための形態】
【００２０】
以下、本発明の第一の実施形態である電源装置２６について、図１〜図３に基づいて説明する。ここで、電源装置２６に外部接続される部分の構成については、従来の構成（図１４）と同様の符号を付して説明する。
【００２１】
電源装置２６は、スイッチング方式の電源装置であり、図示しない電力変換回路と出力電圧制御回路２８とを備えている。出力電圧制御回路２８は、出力電圧信号Vo1と基準電圧Vkとの差を増幅する誤差増幅回路２８ａと、誤差増幅回路２８ａが出力する制御信号Vsを受け、出力電圧信号Vo1と基準電圧Vkとの差をゼロに近づけるように電力変換回路を制御するスイッチング制御回路２８ｂとを備えている。基準電圧Vkを発生させる基準電圧発生回路３０は、後述する設定値決定手段３２から出力電圧設定情報J(Vr)を受け、これに基づいて基準電圧Vkの値を調節する。
【００２２】
電源装置２６には、外部接続端子として、出力電圧設定値Vrを変更するためのトリマ端子１８が設けられている。トリマ端子１８に発生する電圧（以下、トリマ電圧Vtrmと称する。）は、トリマ端子１８に固定抵抗素子２０を接続することによって変更できるよう構成されている。
【００２３】
設定値決定手段３２は、デジタルプロセッサ内に設けられたブロックで、あらかじめ、トリマ電圧Vtrmと出力電圧設定値Vrとの関係を規定した設定値決定テーブルＴａ，Ｔｂが登録されている。
【００２４】
設定値決定テーブルＴａには、図２（ａ）に示すように、トリマ電圧Vtrmの範囲（≦Vx）を所定の幅に区切った複数のレンジA1，A2,・・・が定義され、各レンジA1，A2,・・・に対して異なる出力電圧設定値Vr(A1)，Vr(A2)，・・・が割り付けられている。
【００２５】
また、各出力電圧設定値Vr(A1)，Vr(A2)，・・・に対し、外部接続する固定抵抗素子２０の公称値及び公差が指定されている。例えば、出力電圧設定値Vr(A1)に対しては、公称値Ra1［Ω］で公差が±１％の固定抵抗素子２０を接続することが指定されている。同様に、出力電圧設定値Vr(A2)に対しては、公称値がRa2(1)［Ω］で公差が±１％の固定抵抗と公称値がRa2(2)［Ω］で公差が±１％の固定抵抗とを並列にした固定抵抗素子２０を接続することが指定されている。
【００２６】
また、トリマ電圧VtrmのレンジA1，A2,・・・の幅は、指定された固定抵抗素子２０が外部接続され、その抵抗値が公差の範囲内でばらついたとき、各トリマ電圧Vtrmのばらつきの幅ΔV(Ra1)，ΔV(Ra2)，・・・が各レンジA1，A2,・・・内に収まるように設定されている。
【００２７】
出力電圧設定値Vr(A1)，Vr(A2)，・・・は、例えば、1.0V、1.2V、1.5V、1.8V、2.0V、2.5V、3.3V、5V等、各種分野で使用される一般的な電圧が選定されている。
【００２８】
設定値決定テーブルＴｂには、図２（ｂ）に示すように、トリマ電圧Vtrmの範囲(≦Vx)を所定の幅に区切った複数のレンジB1，B2,・・・が定義され、各レンジB1，B2,・・・に対して異なる出力電圧設定値Vr(B1)，Vr(B2)，・・・が割り付けられている。
【００２９】
また、各出力電圧設定値Vr(B1)，Vr(B2)，・・・に対し、外部接続する固定抵抗素子２０の公称値及び公差が指定されている。例えば、出力電圧設定値Vr(B1)に対しては、公称値Rb1［Ω］で公差が±２％の固定抵抗素子２０を接続することが指定されている。同様に、出力電圧設定値Vr(B2)に対しては、公称値がRb2(1)［Ω］で公差が±２％の固定抵抗と公称値がRb2(2)［Ω］で公差が±２％の固定抵抗とを並列にした固定抵抗素子２０を接続することが指定されている。
【００３０】
また、トリマ電圧VtrmのレンジB1，B2,・・・の幅は、指定された固定抵抗素子２０が外部接続され、その抵抗値が公差の範囲内でばらついたとき、各トリマ電圧Vtrmのばらつきの幅ΔV(Rb1)，ΔV(Rb2)，・・・が各レンジB1，B2,・・・内に収まるように設定されている。
【００３１】
設定値決定テーブルＴｂでは、使用者が用意する固定抵抗素子２０を安価で入手しやすいものにするため、固定抵抗素子２０の公差の指定を、設定値決定テーブルＴａよりも緩くしている。そのため、図３（ａ）、（ｂ）に示すように、各レンジB1，B2，・・・の幅が設定値決定テーブルＴａより広くなっており、これに伴い、レンジB1，B2，・・・の数と出力電圧設定値Vr(B1)，Vr(B2)，・・・の数が設定値決定テーブルＴａより少なくなっている。出力電圧設定値Vr(B1)，Vr(B2)，・・・は、上述した一般的な電圧の中から、特に多く使用される電圧が選定されている。
【００３２】
設定値決定手段３２は、トリマ電圧Vtrmを検出し、設定値決定テーブルＴａ又はＴｂの規定に基づいて出力電圧設定値Vrを決定し、決定した内容を出力電圧設定情報J(Vr)として基準電圧発生回路３０に向けて送信する動作を行う。
【００３３】
さらに、電源装置２６には、外部接続端子として、外部機器３６からテーブル選択情報J(table)を取得するためのテーブル選択端子３４が設けられている。テーブル選択情報J(table)は、出力電圧設定値Vrを決定する際に使用する設定値決定テーブルを使用者が指定した情報であり、設定値決定手段３２は、テーブル選択情報J(table)を受け、指定された設定値決定テーブル（Ｔａ又はＴｂ）を用いて出力電圧設定値Vrを決定する。
【００３４】
なお、設定値決定手段３２は、検出したトリマ電圧Vtrmが、指定された設定値決定テーブル（Ｔａ又はｔｂ）に規定されたレンジに含まれない時（つまり、Vtrm＞Vxの時）は、出力電圧設定値を一定以下の安全な値に決定する。これによって、使用者が指定外の固定抵抗素子２０を誤接続したとき等に、負荷１６や電源装置２６の内部回路を保護することができる。
【００３５】
次に、電源装置２６の使用方法及び動作を説明する。例えば出力電圧設定値VrをVr(A1)にしたいとき、使用者は、公称値がRa1［Ω］で公差が±１％の固定抵抗素子２０をトリマ端子１８に接続し、外部機器３６から、「設定値決定テーブルＴａを選択する」という内容のテーブル選択情報J(table)を、テーブル選択端子３４を通じて設定値決定手段３２に送信させる。そして、電源装置２６の動作をオンにすると、所定のトリマ電圧Vtrmが発生する。
【００３６】
トリマ電圧Vtrmは、固定抵抗素子２０の抵抗値が公差の範囲内でばらついても、確実にV1a＜Vtrm≦V2aの範囲に収まる。したがって、設定値決定手段３２は、トリマ電圧Vtrmが設定値決定テーブルＴａのレンジA1に属すると判定し、出力電圧設定値VrをVr(A1)に決定し、その旨を出力電圧設定情報J(Vr)として基準電圧発生回路３０に向けて送信する。
【００３７】
基準電圧発生回路３０は、出力電圧VoがVr(A1)になるように基準電圧Vkの値を調節し、出力電圧制御回路２８は、出力電圧信号Vo1が基準電圧Vkに近づくようにスイッチング動作を制御する。その結果、出力電圧Voが正確にVr(A1)となる。
【００３８】
同様に、例えば出力電圧設定値VrをVr(B1)にしたいときは、使用者は、公称値がRb1［Ω］で公差が±２％の固定抵抗素子２０をトリマ端子１８に接続し、外部機器３６から、「設定値決定テーブルＴｂを選択する」という内容のテーブル選択情報J(table)を、テーブル選択端子３４を通じて設定値決定手段３２に向けて送信させる。その結果、出力電圧Voが正確にVr(B1)となる。
【００３９】
以上説明したように、電源装置２６によれば、トリマ端子１８に発生するトリマ電圧Vtrmを検出し、独特な設定値決定テーブルＴａ又はＴｂに基づいて出力電圧設定値Vrを決定する構成なので、外部接続する固定抵抗素子２０の抵抗値が公差の範囲内でばらついても、所望の出力電圧Voを精度よく得ることができる。
【００４０】
次に、本発明の第二の実施形態である電源装置３８について、図４〜図６に基づいて説明する。ここで、上記の電源装置２６と同様の構成は、同一の符号を付して説明を省略する。
【００４１】
電源装置３８は、電源装置２６と同様のスイッチング方式の電源装置であり、図４に示すように、電源装置２６と異なるのは、設定値決定手段３２に代えて設定値決定手段４０が設けられているという点である。また、電源装置３８の場合、トリマ端子１８に発生する電圧は、出力端子１２，１４の間に定電圧発生回路２２を設け、定電圧発生回路２２で所定の定電圧を発生させ、この定電圧をトリマ端子１８に入力することによって変更できるよう構成されている。つまり、電源装置３８の場合、定電圧発生回路２２が発生する定電圧がそのままトリマ電圧Vtrmとなる。
【００４２】
設定値決定手段４０は、デジタルプロセッサ内に設けられたブロックで、あらかじめ、トリマ電圧Vtrmと出力電圧設定値Vrとの関係を規定した設定値決定テーブルＴｃ，Ｔｄが登録されている。
【００４３】
設定値決定テーブルＴｃには、図５（ａ）に示すように、トリマ電圧Vtrmの範囲（≦Vx）を所定の幅に区切った複数のレンジC1，C2，・・・が定義され、各レンジC1，C2,・・・に対して異なる出力電圧設定値Vr(C1)，Vr(C2)，・・・が割り付けられている。
【００４４】
また、各出力電圧設定値Vr(C1)，Vr(C2)，・・・に対し、外部入力する定電圧の中心値及び許容誤差が指定されている。例えば、出力電圧設定値Vr(C1)に対しては、中心値Vc1［V］で許容誤差が±３％の定電圧を入力することが指定されている。同様に、出力電圧設定値Vr(C2)に対しては、中心値Vc2［V］で許容誤差が±３％の定電圧を入力することが指定されている。
【００４５】
また、トリマ電圧VtrmのレンジC1，C2,・・・の幅は、指定された定電圧が外部入力されたとき、その定電圧のばらつき（トリマ電圧Vtrmのばらつき）の幅が各レンジC1，C2,・・・内に収まるように設定されている。出力電圧設定値Vr(C1)，Vr(C2)，・・・は、各種分野で使用される一般的な電圧が選定されている。
【００４６】
設定値決定テーブルＴｄには、図５（ｂ）に示すように、トリマ電圧Vtrmの範囲(≦Vx)を所定の幅に区切った複数のレンジD1，D2,・・・が定義され、各レンジD1，D2,・・・に対して異なる出力電圧設定値Vr(D1)，Vr(D2)，・・・が割り付けられている。
【００４７】
また、各出力電圧設定値Vr(D1)，Vr(D2)，・・・に対し、外部入力する定電圧の中心値及び許容誤差があらかじめ指定されている。例えば、出力電圧設定値Vr(D1)に対しては、中心値Vd1［V］で許容誤差が±５％の定電圧を入力することが指定されている。同様に、出力電圧設定値Vr(D2)に対しては、中心値Vd2［V］で許容誤差が±５％の定電圧を入力することが指定されている。
【００４８】
また、トリマ電圧VtrmのレンジD1，D2,・・・の幅は、指定された定電圧が外部入力されたとき、その定電圧のばらつき（トリマ電圧Vtrmのばらつき）の幅が各レンジD1，D2,・・・内に収まるように設定されている。
【００４９】
設定値決定テーブルＴｄでは、使用者が用意する定電圧発生回路２２を安価で入手しやすい部品で構成できるようにするため、定電圧の許容誤差の指定を、設定値決定テーブルＴｃよりも緩くしている。そのため、図６（ａ）、（ｂ）に示すように、各レンジD1，D2，・・・の幅が設定値決定テーブルＴｃより広くなっており、これに伴い、レンジD1，D2，・・・の数と出力電圧設定値Vr(D1)，Vr(D2)，・・・の数が設定値決定テーブルＴｃより少なくなっている。出力電圧設定値Vr(D1)，Vr(D2)，・・・は、上述した一般的な電圧の中から、特に多く使用される電圧が選定されている。
【００５０】
設定値決定手段４０は、トリマ電圧Vtrmを検出し、設定値決定テーブルＴｃ又はＴｄの規定に基づいて出力電圧設定値Vrを決定し、決定した内容を出力電圧設定情報J(Vr)として基準電圧発生回路３０に向けて送信する動作を行う。
【００５１】
次に、電源装置２６の使用方法及び動作を説明する。例えば出力電圧設定値VrをVr(C1)にしたいとき、使用者は、中心値がVc1［V］で許容誤差が±３％の定電圧を出力する定電圧発生回路２２をトリマ端子１８に接続し、外部機器３６から、「設定値決定テーブルＴｃを選択する」という内容のテーブル選択情報J(table)を、テーブル選択端子３４を通じて設定値決定手段４０に送信させる。そして、電源装置３８の動作をオンにする。
【００５２】
トリマ電圧Vtrmは、定電圧が許容誤差の範囲内でばらついても、確実にV1c＜Vtrm≦V2cの範囲に収まる。したがって、設定値決定手段４０は、トリマ電圧Vtrmが設定値決定テーブルＴｃのレンジC1に属すると判定し、出力電圧設定値VrをVr(C1)に決定し、その旨を出力電圧設定情報J(Vr)として基準電圧発生回路３０に向けて送信する。
【００５３】
基準電圧発生回路３０は、出力電圧VoがVr(C1)になるように基準電圧Vkの値を調節し、出力電圧制御回路２８は、出力電圧信号Vo1が基準電圧Vkに近づくようにスイッチング動作を制御する。その結果、出力電圧Voが正確にVr(C1)となる。
【００５４】
同様に、例えば出力電圧設定値VrをVr(D1)にしたいときは、使用者は、中心値がVd1［V］で許容誤差が±５％の定電圧を出力する定電圧発生回路２２をトリマ端子１８に接続し、外部機器３６から、「設定値決定テーブルＴｄを選択する」という内容のテーブル選択情報J(table)を、テーブル選択端子３４を通じて設定値決定手段４０に向けて送信させる。その結果、出力電圧Voが正確にVr(D1)となる。
【００５５】
以上説明したように、電源装置３８によれば、トリマ端子１８に発生するトリマ電圧Vtrmを検出し、独特な設定値決定テーブルＴｃ又はＴｄに基づいて出力電圧設定値Vrを決定する構成なので、外部接続する定電圧発生回路２２の定電圧が許容誤差の範囲内でばらついても、所望の出力電圧Voを精度よく得ることができる。
【００５６】
次に、本発明の第三の実施形態である電源装置４２について、図７、図８に基づいて説明する。ここで、上記電源装置２６と同様の構成は、同一の符号を付して説明を省略する。
【００５７】
電源装置４２は、電源装置２６と同様のスイッチング方式の電源装置であり、図７に示すように、電源装置２６と異なるのは、設定値決定手段３２に代えて設定値決定手段４４が設けられているという点である。
【００５８】
また、電源装置４２の場合、トリマ電圧Vtrmを変更する方法として、トリマ端子１８に固定抵抗素子２０を接続する方法と、図１４（ｃ）に示すように、使用者が意図した定電圧を高精度に出力する可変電源装置２４を用意し、この定電圧をトリマ端子１８に入力する方法の、どちらも使用できる構成になっている。後者の方法を使用した場合、可変電源装置２４が出力する定電圧がそのままトリマ電圧Vtrmとなる。
【００５９】
設定値決定手段４４は、デジタルプロセッサ内に設けられたブロックで、あらかじめ、上記の設定値決定テーブルＴａと、トリマ電圧Vtrmと出力電圧設定値Vrとの関係を規定した連続関数式Ｓ１とが登録されている。設定値決定テーブルＴａは、上記のようにトリマ電圧Vtrm≦Vxの範囲を対象にしたテーブルであり、トリマ電圧Vtrm＞Vxの範囲は対象にしていない。一方、連続関数式Ｓ１は、トリマ電圧Vtrm＞Vxの範囲を対象にした式であり、トリマ電圧Vtrm≦Vxの範囲は対象にしていない。
【００６０】
設定値決定手段４４は、トリマ電圧Vtrmを検出し、図８に示すように、検出したトリマ電圧VtrmがVx以下の時は、設定値決定テーブルＴａの規定に基づいて出力電圧設定値Vrを決定し、Vxを超えている時は、連続関数式Ｓ１に基づいて出力電圧設定値Vrを決定する。そして、決定した内容を出力電圧設定情報J(Vr)として基準電圧発生回路３０に向けて送信する動作を行う。
【００６１】
次に、電源装置４２の使用方法を説明する。使用者は、「出力電圧Voを一旦設定するとその後は変更しない」という使い方をする場合、トリマ端子１８に所定の固定抵抗素子２０を接続し、トリマ電圧Vtrm≦Vxの範囲で使用する。これによって、電源装置２６と同様の作用効果を得ることができる。一方、「電源装置４２の運転中に出力電圧Voを可変する」という使い方をする場合は、トリマ端子１８に可変電源装置２４が出力する定電圧を入力し、トリマ電圧Vtrm＞Vxの範囲で使用する。これによって、出力電圧設定値Vrを連続変化させることができ、出力電圧Voをきめ細かく可変することができる。
【００６２】
以上説明したように、電源装置４２によれば、「出力電圧Voを一旦設定するとその後は変更しない」という使い方と「電源装置の運転中に出力電圧Voを可変する」という使い方のどちらにも対応することができる。
【００６３】
次に、本発明の第四の実施形態である電源装置４６について、図９〜図１１に基づいて説明する。ここで、上記電源装置２６と同様の構成は、同一の符号を付して説明を省略する。
【００６４】
電源装置４６は、電源装置２６と同様のスイッチング方式の電源装置であり、図９に示すように、電源装置２６と異なるのは、設定値決定手段３２に代えて設定値決定手段４８が設けられている点と、新たな外部接続端子であるモード選択端子５０が設けられている点である。
【００６５】
また、電源装置４６の場合、トリマ電圧Vtrmを変更する方法として、トリマ端子１８に固定抵抗素子２０を接続する方法と、図１４（ｃ）に示すように、使用者が意図した定電圧を高精度に出力する可変電源装置２４を用意し、この定電圧をトリマ端子１８に入力する方法の、どちらも使用できる構成になっている。後者の方法を使用した場合、可変電源装置２４が出力する定電圧がそのままトリマ電圧Vtrmとなる。
【００６６】
設定値決定手段４８は、デジタルプロセッサ内に設けられたブロックで、あらかじめ、設定値決定テーブルＴｅと、トリマ電圧Vtrmと出力電圧設定値Vrとの関係を規定した連続関数式Ｓ２とが登録されている。
【００６７】
設定値決定テーブルＴｅには、図１０に示すように、トリマ電圧Vtrmの範囲を所定の幅に区切った複数のレンジE1，E2,・・・が定義され、各レンジE1，E2,・・・に対して異なる出力電圧設定値Vr(E1)，Vr(E2)，・・・が割り付けられている。
【００６８】
また、各出力電圧設定値Vr(E1)，Vr(E2)，・・・に対し、外部接続する固定抵抗素子２０の公称値及び公差が指定されている。例えば、出力電圧設定値Vr(E1)に対しては、公称値Re1［Ω］で公差が±１％の固定抵抗素子２０を接続することが指定されている。同様に、出力電圧設定値Vr(E2)に対しては、公称値がRe2(1)［Ω］で公差が±１％の固定抵抗と公称値がRe2(2)［Ω］で公差が±１％の固定抵抗とを並列にした固定抵抗素子２０を接続することが指定されている。
【００６９】
また、トリマ電圧VtrmのレンジE1，E2,・・・の幅は、指定された固定抵抗素子２０が外部接続され、その抵抗値が公差の範囲内でばらついたとき、各トリマ電圧Vtrmのばらつきの幅ΔV(Re1)，ΔV(Re2)，・・・が各レンジE1，E2,・・・内に収まるように設定されている。
【００７０】
連続関数式Ｓ２は、図１１に示すように、設定値決定テーブルＴｅに規定されたトリマ電圧Vtrmの範囲と重なる範囲に適用される式であり、図８に示す連続関数式Ｓ１とは大きく異なる。
【００７１】
設定値決定手段４８は、トリマ電圧Vtrmを検出し、設定値決定テーブルＴｅの規定又は連続関数式Ｓ２に基づいて出力電圧設定値Vrを決定し、決定した内容を出力電圧設定情報J(Vr)として基準電圧発生回路３０に向けて送信する動作を行う。
【００７２】
モード選択端子５０は、外部機器３６からモード選択情報J(mode)を取得するための外部接続端子である。モード選択情報J(mode)は、設定値決定テーブルに基づいて出力電圧設定値Vrを決定する第一のモードと、連続関数式に基づいて出力電圧設定値Vrを決定する第二のモードのどちらかを使用者が指定する情報である。設定値決定手段４８は、モード選択情報J(mode)を受け、これに従って出力電圧設定値Vrを決定する。
【００７３】
次に、電源装置４６の使用方法を説明する。使用者は、「出力電圧Voを一旦設定するとその後は変更しない」という使い方をする場合、トリマ端子１８に固定抵抗素子２０を接続し、外部機器３６から、「第一のモードを選択する」という内容のモード選択情報J(mode)を、モード選択端子５０を通じて設定値決定手段４８に送信させる。これによって、電源装置２６と同様の効果を得ることができる。一方、「電源装置４６の運転中に出力電圧Voを可変する」という使い方をする場合は、トリマ端子１８に可変電源装置２４が出力する定電圧を入力し、外部機器３６から、「第二のモードを選択する」という内容のモード選択情報J(mode)を、モード選択端子５０を通じて設定値決定手段４８に送信する。これによって、出力電圧設定値Vrを連続変化させることができ、出力電圧Voをきめ細かく可変することができる。
【００７４】
以上説明したように、電源装置４６によれば、「出力電圧Voを一旦設定するとその後は変更しない」という使い方と「電源装置の運転中に出力電圧Voを可変する」という使い方のどちらにも対応することができる。
【００７５】
なお、本発明の電源装置は、上記実施形態に限定されるものではない。例えば、第一の実施形態の電源装置２６は、設定値決定手段３２に設定値決定テーブルを２つ設けているが、設定値決定テーブルの数はいくつでもよい。１つにする場合は、テーブル選択端子３４は省略することができる。第二の実施形態の電源装置３８も同様である。
【００７６】
第三の実施形態の電源装置４２は、設定値決定手段４４に１つの設定値決定テーブルを設けているが、設定値決定テーブルを複数設けてもよい。例えば、図１２に示す電源装置４２ｈでは、設定値決定手段４４ｈに設定値決定テーブルＴａとＴｂを設けている（ともにトリマ電圧Vtrm≦Vxの範囲が対象）。この場合、トリマ電圧Vtrm≦Vxの時に、設定値決定手段４４ｈがどちらの設定値決定テーブルを使用するか判断できるように、電源装置２６のようにテーブル選択端子３４を設け、外部機器３６からテーブル選択情報J(table)を取得できる構成にするとよい。
【００７７】
第四の実施形態の電源装置４６は、設定値決定手段４８に１つの設定値決定テーブルを設けているが、設定値決定テーブルを複数設けてもよい。例えば、図１３に示す電源装置４６ｈでは、設定値決定手段４８ｈに設定値決定テーブルＴｅとＴｆを設けている。この場合、第一のモード（設定値決定テーブルに基づいて出力電圧設定値Vrを決定するモード）が選択されている時、設定値決定手段４８ｈがどちらの設定値決定テーブルを使用するか判断できるように、外部機器３６からモード選択端子５０を通じてテーブル選択情報J(table)を取得できる構成にする。モード選択端子５０と別に、テーブル選択端子３４を新設してもよい。
【００７８】
第三及び第四の実施形態の電源装置４２，４６は、トリマ端子１８に固定抵抗素子２０が接続されることを想定した設定値決定テーブルを設けているが、定電圧発生回路２２が接続されることを想定した設定値決定テーブルを設けてもよい。
【００７９】
各実施形態において、設定値決定手段に複数の設定値決定テーブルを設ける場合、トリマ端子１８に固定抵抗素子２０が接続されることを想定した設定値決定テーブルと、定電圧発生回路２２が接続されることを想定した設定値決定テーブルの両方を設けてもよい。これによって、使用方法の選択肢をより多くすることができ、使用者の利便性をさらに向上させることができる。
【００８０】
その他、トリマ端子に接続される固定抵抗素子は、１つの固定抵抗で構成されるようにしてもよいし、複数の固定抵抗を直列、並列又は直並列に接続して構成されるようにしてもよい。また、トリマ端子に接続される定電圧発生回路の構成は特に限定されず、定電圧発生回路２２以外の構成にしてもよい。また、電力変換回路はスイッチング方式に限定されず、出力電圧制御回路の構成も、電力変換回路の構成に合わせて適宜変更することができる。
【符号の説明】
【００８１】
１０，２６，３８，４２，４２ｈ，４６，４６ｈ  電源装置
１６  負荷
１８  トリマ端子
２０  固定抵抗素子
２２  定電圧発生回路
２４  可変電源装置
３２，４０，４４，４４ｈ，４８，４８ｈ  設定値決定手段
３４  テーブル選択端子
３６  外部機器
５０  モード選択端子
Ｔａ，Ｔｂ，Ｔｃ，Ｔｄ，Ｔｅ，Ｔｆ  設定値決定テーブル
Ｓ１，Ｓ２  連続関数式
Vo  出力電圧
Vr  出力電圧設定値
Vtrm  トリマ電圧
【図１】
2018196215.tif 000003
【図２】
2018196215.tif 000004
【図３】
2018196215.tif 000005
【図４】
2018196215.tif 000006
【図５】
2018196215.tif 000007
【図６】
2018196215.tif 000008
【図７】
2018196215.tif 000009
【図８】
2018196215.tif 000010
【図９】
2018196215.tif 000011
【図１０】
2018196215.tif 000012
【図１１】
2018196215.tif 000013
【図１２】
2018196215.tif 000014
【図１３】
2018196215.tif 000015
【図１４】
2018196215.tif 000016